(57)【要約】  【課題】災害等で見通しの悪い状況でも、最低限の明かりを点灯させておくことで、遠くから自動販売機を発見することができ、消費電力を極力抑えることで停電時の商品搬出期間をより延長できる自動販売機を提供する。  【解決手段】蓄電装置２と、商用電源１と蓄電装置２の電力使用を切換える電源切換え手段３と、商品を搬出するための商品搬出装置４と、商品が搬出可能であることを表示する搬出可能ランプ５と、自動販売機の前面部を照明する照明装置７ａと、電源切換え手段３と商品搬出装置４と搬出可能ランプ５と照明装置７ａを接続した制御装置１０ａを備え、電源切換え手段３にて、電力使用を蓄電装置側に切換えた時、制御装置１０ａは、電源切換え手段３の状態が蓄電装置側であることを検知することで、商品搬出装置４と、商品の搬出可能な搬出可能ランプ５と、照明装置７ａを駆動可能にする。【選択図】図１
2007108920.tif 000002
【特許請求の範囲】
【請求項１】
自動販売機の内部に蓄電装置を備え、前記蓄電装置の電力使用に手動で切り替えることで、商品を搬出するための搬出装置と前記搬出装置を制御する搬出制御装置と前記商品が搬出可能であることを表示する搬出可能ランプと前記自動販売機の前面部を照明する照明装置を駆動可能にしたことを特徴とする自動販売機。
【請求項２】
自動販売機の前面部に備えた照明装置は上下方向に複数段配置されており、上段の照明装置のみ駆動可能にしたことを特徴とする請求項１に記載の自動販売機。
【請求項３】
自動販売機の前面部に備えた照明装置は調光型の照明装置であることを特徴とした請求項１または２に記載の自動販売機。
【請求項４】
周囲の明るさを検知する照度センサを備え、前記照度センサにて暗いと判定した時のみ照明可能な照明装置を備えたことを特徴とする請求項１から３のいずれか一項に記載の自動販売機。
【請求項５】
一定時間商品の搬出が無い場合、照明装置を点灯させることを特徴とする請求項１から４のいずれか一項に記載の自動販売機。
【発明の詳細な説明】
【技術分野】
【０００１】
本発明は、震災などの災害により、その地域のライフラインが停止した場合に、飲料、食品供給源として対応できるようにした災害対策用の自動販売機に関するものである。
【背景技術】
【０００２】
従来の自動販売機には、商用電源が停電した場合でも自動販売機での販売動作が継続して行えるようにするために、機内に非常用電源として蓄電装置を搭載しておき、商用電源の停電時に電源を商用電源から蓄電装置に切換えて販売動作が引き続き行えるようにした自動販売機ついて開示したもの（例えば、特許文献１参照）がある。
【特許文献１】特開平１０−１１６３７９号公報
【発明の開示】
【発明が解決しようとする課題】
【０００３】
しかしながら、前記のように停電対策として機内に蓄電装置を備えて商品販売を継続的に行えるようにした自動販売機は、震災などの災害によりライフラインも停止した非常事態の状況下では、お金も持たずに避難した被災者も多く、このような人たちは、商品が欲しくても自動販売機で商品を購入することもできないという課題を有していた。
【０００４】
本発明は、前記従来の課題を解決するもので、震災などの災害によりライフラインも停止した非常事態の状況下においても、自動販売機内に貯蔵されている商品を代金を必要とせずに災害地域の被災者に無料で提供できるような災害対策機能を備えた自動販売機を提供することを目的とする。
【課題を解決するための手段】
【０００５】
前記従来の課題を解決するために、本発明の自動販売機は、蓄電装置と、商用電源と蓄電装置の電力使用を切換える電源切換え手段と、商品を搬出するための商品搬出装置と、前記商品が搬出可能であることを表示する搬出可能ランプと、自動販売機の前面部を照明する照明する照明装置と、電源切換え手段と商品搬出装置と搬出可能ランプと照明装置を接続した制御装置を備えたものである。
【０００６】
これによって、電源切換え手段にて、電力使用を蓄電装置側に切換えた時、制御装置は、電源切換え手段の状態が蓄電装置側であることを検知することで、商品搬出装置と、商品の搬出可能な搬出可能ランプと、照明装置を駆動可能にする。
【発明の効果】
【０００７】
本発明の自動販売機は、震災などの災害によりライフラインも停止した非常事態の状況下においても、自動販売機内に貯蔵されている商品を代金を必要とせずに災害地域の被災者に無料で提供できると共に、災害等で見通しの悪い状況でも、最低限の明かりを点灯させておくことで遠くから自動販売機を発見することができる。
【発明を実施するための最良の形態】
【０００８】
請求項１に記載の発明は、蓄電装置と、商用電源と蓄電装置の電力使用を切換える電源切換え手段と、商品を搬出するための商品搬出装置と、前記商品が搬出可能であることを表示する搬出可能ランプと、自動販売機の前面部を照明する照明する照明装置と、電源切換え手段と商品搬出装置と搬出可能ランプと照明装置を接続した制御装置を備え、電源切換え手段にて、電力使用を蓄電装置側に切換えた時、制御装置は、電源切換え手段の状態が蓄電装置側であることを検知することで、商品搬出装置と、商品の搬出可能な搬出可能ランプと、照明装置を駆動可能にする。これにより、震災などの災害によりライフラインも停止した非常事態の状況下においても、自動販売機内に貯蔵されている商品を代金を必要とせずに災害地域の被災者に無料で提供できると共に、災害等で見通しの悪い状況でも、最低限の明かりを点灯させておくことで遠くから自動販売機を発見することができる。
【０００９】
請求項２に記載の発明は、請求項１に記載の発明において、自動販売機の前面部に備えた照明装置は上下方向に複数段配置されており、蓄電装置の電力使用時は、上段の照明装置のみ駆動可能にすることにより、照明装置の無駄な明るさをなくし、照明装置に対する蓄電装置での電力消費をさらに抑え込む事ができ、蓄電装置での商品搬出可能期間を伸ばすことができる。
【００１０】
請求項３に記載の発明は、請求項１または２に記載の発明において、自販機の前面部に備えた照明装置が調光型の照明装置であることで照明装置を点灯時の明るさを抑え、電力消費をさらに抑えることができる。
【００１１】
請求項４に記載の発明は、請求項１から３のいずれか一項に記載の発明において、周囲の明るさを検知する照度センサを備え、前記照度センサにて暗いと判定した時のみ照明可能な照明装置を備えることにより、昼間等明るい時に不要な照明を駆動しないことで、電力消費をさらに抑えることができる。
【００１２】
請求項５に記載の発明は、請求項１から４のいずれか一項に記載の発明において、一定時間商品の搬出が無い場合、照明装置を点灯させることで、自動販売機を利用されていないと判断できるときは、照明により遠くから自動販売機を発見できる。
【００１３】
以下、本発明による自動販売機について、図面を参照しながら説明する。
【００１４】
（実施の形態１）
図１は、本発明の実施の形態１による自動販売機の制御機能ブロック図である。
【００１５】
図１において、この自動販売機は、基本的には、商用電源１にて駆動されるものである。蓄電装置２は、一次側を商用電源１に常時接続されて蓄電されると共に、２次側からは商用電源と同等の電圧を出力する。電源切換え手段３は、自動販売機への電源供給を商用電源１、或いは、蓄電装置２にするか切換え、制御装置１０ａに電源を供給すると共に、どちらの電源で供給しているか、制御手段１０ａへ信号出力する。商品搬出装置４は自動販売機に収納された商品を搬出するためのものであり、制御装置１０ａに接続されている。搬出可能ランプ５は制御装置１０ａに接続され、商品搬出装置４から搬出可能な商品があるかどうかを制御装置１０ａで判定し、判定結果を表示する。
【００１６】
商品選択手段６は制御装置１０ａに接続され、搬出したい商品を選択するものである。照明装置７ａは、自動販売機の電照板やサンプル缶を表示するための多数の蛍光灯等の照明灯８を制御するもので、制御装置１０ａに接続されている。冷却／加温装置９は、制御装置１０ａに接続され、自動販売機に収納されている商品を適温に保存するためのものである。制御装置１０ａは、自動販売機全体の制御を行う。
【００１７】
以上のように構成された自動販売機について、以下図１を用いて、その動作を説明する。
【００１８】
まず、商用電源１が供給されている時は、蓄電装置２に商用電源を蓄電すると共に、電源切換え手段３は、商用電源側に接続されており、制御装置１０ａも商用電源１にて駆動している。制御装置１０ａは電源切換え手段３からの出力信号にて商用電源１にて動作していることがわかっている。制御手段１０ａは商用電源１にて動作していると判定した時は、自動販売機内に収納された商品が適温になるよう、冷却／加温装置９を制御する。
【００１９】
また、自動販売機内の設定状況に応じて、照明装置を制御する。また、お金等の投入により販売可能と判断した時は、商品選択手段６で選択した商品を商品搬出装置４にて搬出する。一方、商用電源１が停電した時は、自動販売機の動作は停止するが、電源切換え手段３にて、電源供給を蓄電装置２側に切換えると自動販売機の制御装置１０ａは動作し、電源切換え手段３からの出力信号にて蓄電装置２の電源にて動作していると判定する。
【００２０】
そして、蓄電装置２の電源にて動作していると判定した時は、冷却／加温装置９を強制停止し、照明装置７ａにて照明灯８を点灯させる。また、自動販売機内に収納された搬出可能な商品の搬出可能ランプ５を点灯する。そして、利用客が搬出可能ランプ５の点灯した商品の商品選択手段６を選択すると、該当商品の商品搬出装置４を動作させ、該当商品を搬出させる。
【００２１】
以上のように、本実施の形態においては、蓄電装置２と、商用電源１と蓄電装置２の電力使用を切換える電源切換え手段３と、商品を搬出するための商品搬出装置４と、商品が搬出可能であることを表示する搬出可能ランプ５と、自動販売機の前面部を照明する照明する照明装置７ａと、電源切換え手段３と商品搬出装置４と搬出可能ランプ５と照明装置７ａを接続した制御装置１０ａを備え、電源切換え手段３にて、電力使用を蓄電装置２側に切換えた時、制御装置１０ａは、電源切換え手段３の状態が蓄電装置２側であることを検知することで、商品搬出装置４と、商品の搬出可能な搬出可能ランプ５と、照明装置７ａを駆動可能にする。
【００２２】
これにより、震災などの災害によりライフラインも停止した非常事態の状況下においても、自動販売機内に貯蔵されている商品を代金を必要とせずに災害地域の被災者に無料で提供できると共に、災害等で見通しの悪い状況でも、最低限の明かりを点灯させておくことで遠くから災害時に対応した自動販売機を発見することができる。
【００２３】
（実施の形態２）
図２は、本発明の実施の形態２による自動販売機の制御機能ブロック図である。なお、実施の形態１と同一構成については、同一符号を付して詳細な説明を省略する。
【００２４】
図２において、自動販売機の電照板やサンプル缶を表示するための多数の蛍光灯等の照明灯８は自動販売機の前面部に上下方向に複数段配置されており、照明灯８ａと照明灯８ｂからなる。照明装置７ｂは照明灯８を少なくとも２グループに分けて制御する。本実施例においては、照明灯８ａは最上段の照明灯、照明灯８ｂは最上段以外の照明灯を指すものとする。
【００２５】
以上のように構成された自動販売機について、以下図２を用いてその動作を説明する。
【００２６】
図２において、商用電源１にて動作時は、実施の形態１と同じであり、その動作の説明は省略する。商用電源１が停電し、電源切換え手段３にて、電源供給を蓄電装置２側に切換えると自動販売機の制御装置１０ｂは動作し、電源切換え手段３からの出力信号にて蓄電装置２の電源にて動作していると判定する。
【００２７】
そして、蓄電装置２の電源にて動作していると判定した時は、冷却／加温装置９を強制停止し、照明装置７ｂにて照明灯８ａを点灯させ、照明灯８ｂは消灯させる。また、自動販売機内に収納された搬出可能な商品の搬出可能ランプ５を点灯する。そして、利用客が搬出可能ランプ５の点灯した商品の商品選択手段６を選択すると、該当商品の商品搬出装置４を動作させ、該当商品を搬出させる。
【００２８】
以上のように、本実施の形態においては、自動販売機の前面部に備えた照明灯８ａ、８ｂは上下方向に複数段配置されており、蓄電装置２の電力使用時は、照明装置７ｂにて、上段の照明灯８ａのみ点灯することにより、照明灯８ｂの明るさをなくし、照明装置７ｂに対する蓄電装置での電力消費をさらに抑え込む事ができ、蓄電装置での商品搬出可能期間を伸ばすことができる。
【００２９】
（実施の形態３）
図３は、本発明の実施の形態３による自動販売機の制御機能ブロック図である。
【００３０】
なお、実施の形態１或いは実施の形態２と同一構成については、同一符号を付して詳細な説明を省略する。
【００３１】
図３において、自販機の前面部に備えた照明灯８を制御する照明装置７ｃは調光型の照明装置である。
【００３２】
以上のように構成された自動販売機について、以下図３を用いてその動作を説明する。
【００３３】
図３において、商用電源１にて動作時は、実施の形態１と同じであり、その動作の説明は省略する。商用電源１が停電し、電源切換え手段３にて、電源供給を蓄電装置２側に切換えると自動販売機の制御装置１０ｃは動作し、電源切換え手段３からの出力信号にて蓄電装置２の電源にて動作していると判定する。
【００３４】
そして、蓄電装置２の電源にて動作していると判定した時は、冷却／加温装置９を強制停止し、照明装置７ｃにて照明灯８を強制的に調光状態で点灯させる。また、自動販売機内に収納された搬出可能な商品の搬出可能ランプ５を点灯する。そして、利用客が搬出可能ランプ５の点灯した商品の商品選択手段６を選択すると、該当商品の商品搬出装置４を動作させ、該当商品を搬出させる。
【００３５】
以上のように、本実施の形態においては、自販機の前面部に備えた照明装置７ｃが調光型の照明装置で、蓄電装置２の電力使用時は、照明装置７ｃは強制的に、照明灯８を調光状態で点灯することで、蓄電装置２の電力消費をさらに抑えることができる。
【００３６】
（実施の形態４）
図４は、本発明の実施の形態４による自動販売機の制御機能ブロック図である。
【００３７】
なお、実施の形態１から３のいずれかと同一構成については、同一符号を付して詳細な説明を省略する。
【００３８】
図４において、照度センサ１１は制御装置１０ｄに接続され、自動販売機周囲の明るさを検知する。制御装置１０ｄは照度センサ１１にて、自動販売機の周囲が暗いと判定した時は、照明装置７ｄにて照明灯８を点灯し、逆に明るいと判定した時は、照明装置７ｄにて照明灯８を消灯する。
【００３９】
以上のように構成された自動販売機について、以下図４を用いてその動作を説明する。
【００４０】
図４において、商用電源１にて動作時は、実施の形態１と同じであり、その動作の説明は省略する。商用電源１が停電し、電源切換え手段３にて、電源供給を蓄電装置２側に切換えると自動販売機の制御装置１０ｄは動作し、電源切換え手段３からの出力信号にて蓄電装置２の電源にて動作していると判定する。そして、蓄電装置２の電源にて動作していると判定した時は、冷却／加温装置９を強制停止する。そして、照度センサ１１にて自動販売機の周囲の明るさを判定し、暗いと判定したときのみ、照明装置７ｄにて照明灯８を強制的に点灯させる。
【００４１】
また、自動販売機内に収納された搬出可能な商品の搬出可能ランプ５を点灯する。そして、利用客が搬出可能ランプ５の点灯した商品の商品選択手段６を選択すると、該当商品の商品搬出装置４を動作させ、該当商品を搬出させる。
【００４２】
以上のように、本実施の形態においては、周囲の明るさを検知する照度センサ１１を備え、照度センサ１１にて暗いと判定した時のみ照明可能な照明装置７ｄを備えることにより、昼間等明るい時に不要な照明を駆動しないことで、電力消費をさらに抑えることができる。
【００４３】
尚、照度センサ１１でなく、タイマー手段にて、照明装置の点灯時間を制御できるようにしてもよい（例えば、夜１９時から朝５時まで点灯する）。
【００４４】
（実施の形態５）
図５は、本発明の実施の形態５による自動販売機の制御機能ブロック図である。
【００４５】
なお、実施の形態１から４のいずれかと同一構成については、同一符号を付して詳細な説明を省略する。
【００４６】
図５において、待機期間測定手段１２は、制御装置１０ｅに接続され、一定時間経過毎に加算し、時間計測を行う。制御装置１０ｅは、待機期間計測手段１２で計測した時間が所定時間以下では、照明装置７ａにて、照明灯８を消灯し、所定時間以上では、照明装置７ａにて照明灯８を点灯する。また、制御装置１０ｅは、商品搬出装置４を駆動した時、待機期間測定手段１２で計測していた測定時間をクリアする。
【００４７】
以上のように構成された自動販売機について、以下図５を用いてその動作を説明する。
【００４８】
図５において、商用電源１にて動作時は、実施の形態１と同じであり、その動作の説明は省略する。商用電源１が停電し、電源切換え手段３にて、電源供給を蓄電装置２側に切換えると自動販売機の制御装置１０ｄは動作し、電源切換え手段３からの出力信号にて蓄電装置２の電源にて動作していると判定する。そして、蓄電装置２の電源にて動作していると判定した時は、待機期間測定手段１２にて、一定時間経過毎に、時間加算される。また、制御装置１０ｅは商品搬出装置４を動作させた時、待機期間測定手段１２にて計測していた時間をクリアする。また、制御装置１０ｅは待機期間測定手段１２にて計測した時間が一定時間以上の時に、照明装置７ａを介して照明灯８を点灯する。
【００４９】
以上のように、本実施の形態においては、待機期間測定手段１２にて、一定時間商品の搬出が無いと判定した時は、照明装置７にて照明灯８を点灯させることで、自動販売機を利用されていないと判断できるときは、照明により遠くから自動販売機を発見できる。逆に、自動販売機を利用し、そこに自動販売機があることが解っている時は照明灯８を消灯することで余分な電力消費を抑制できる。
【産業上の利用可能性】
【００５０】
以上のように、本発明にかかる自動販売機は災害などの非常事態時の給水機能を発揮することができる。
【図面の簡単な説明】
【００５１】
【図１】本発明の実施の形態１による自動販売機の制御機能ブロック図
【図２】本発明の実施の形態２による自動販売機の制御機能ブロック図
【図３】本発明の実施の形態３による自動販売機の制御機能ブロック図
【図４】本発明の実施の形態４による自動販売機の制御機能ブロック図
【図５】本発明の実施の形態５による自動販売機の制御機能ブロック図
【符号の説明】
【００５２】
１    商用電源
２    蓄電装置
３    電源切換え手段
４    商品搬出装置
５    搬出可能ランプ
７ａ，７ｂ，７ｃ，７ｄ  照明装置
８，８ａ，８ｂ  照明灯
１０ａ，１０ｂ，１０ｃ，１０ｄ，１０ｅ  制御装置
１１  照度センサ
１２  待機期間測定手段
【図１】
2007108920.tif 000003
【図２】
2007108920.tif 000004
【図３】
2007108920.tif 000005
【図４】
2007108920.tif 000006
【図５】
2007108920.tif 000007